(57)【特許請求の範囲】
【請求項１】
複数本の素線を撚り合わせて短尺の撚り線を製造する撚線機であって、１個のリールを備え、該リールから繰り出した素線にコード撚りのためのくせ付けを施し、そのくせ付けした素線を製品長さに合わせて所定長さに切断し、切断した素線をコード構成に応じた本数集合させて撚り合わせることを特徴とする撚線機。
【請求項２】
集合部にコード構成に応じた本数の素線を集合させて素線同士相対回転できない状態で通す穴を備えた異形ダイスを使用したことを特徴とする請求項１記載の撚線機。
【請求項３】
前記異形ダイスに通して集合させた素線を該異形ダイスの回転と引取り手段による送りにより撚り合わせることを特徴とする請求項２記載の撚線機。
【請求項４】
前記異形ダイスに通して集合させた素線を、交叉して回転する一対のローラーに挟んで撚り合わせることを特徴とする請求項２記載の撚線機。
【請求項５】
前記異形ダイスに通して集合させた素線を、交叉して回転する一対のベルトに挟んで撚り合わせることを特徴とする請求項２記載の撚線機。
【発明の詳細な説明】
【技術分野】
【０００１】
本発明は複数本の素線を撚り合わせて短尺の撚り線を製造する撚線機に関する。
【背景技術】
【０００２】
タイヤ補強材等に使用するスチールコード等の撚り線を製造する撚線機として、チューブラー型撚線機やバンチャー型撚線機が一般に使用されている。これらチューブラー型やバンチャー型の撚線機は、複数本の素線を連続的に撚ってリールに巻き取り、その巻き取った長い撚り線を、例えばタイヤ成形の時に所定の長さに切って使用することを前提としたものである。
【０００３】
それに対し、捻り機構であるオーバーツイストローラーを備えた回転体に送り機構を付加して、オーバーツイストローラーを引取りキャプスタンに兼用し、撚り点の前後で撚り線側または線材側の何れか一方をフリーにして、撚り線となって出てきたものを短く切るようにした撚線機が開発されている（例えば、特許文献１参照。）。この撚線機は、例えばタイヤ成形時にインラインで使用し、撚り線となって出てきたものを順次短く切って、その場で、例えばタイヤ補強用に並べてタイヤを成形してしまうことを前提とするもので、リールに巻き取らないので、真直性に優れた短尺の撚り線を効率良く製造でき、また、チューブラー型やバンチャー型に較べてコンパクトな撚線機とすることができる。
【特許文献１】国際公開第２００４／０４８６７９号パンフレット
【発明の開示】
【発明が解決しようとする課題】
【０００４】
しかしながら、短尺の撚り線を製造するよう開発された上記従来の撚線機は、撚り合わせる素線本数（撚り本数）分のリール（素線繰出用のリール）を配置する必要があって、大きな繰出しスペースが必要である。また、この撚線機は、素線本数分のリールを使用するため、素線径や撚り本数等のコード構成を変える段替えに際して必要本数分のリールを交換する必要があり、また、交換したリール毎に線通しが必要であるため、段替えに時間がかかる。
【０００５】
本発明は、短尺の撚り線を製造する撚線機の省スペース化および段替えの簡素化を容易なものとすることを目的とする。
【課題を解決するための手段】
【０００６】
本発明の撚線機は、複数本の素線を撚り合わせて短尺の撚り線を製造する撚線機であって、１個のリールを備え、該リールから引き出した素線にコード撚りのためのくせ付けを施し、そのくせ付けした素線を製品長さに合わせて所定長さに切断し、切断した素線をコード構成に応じた本数集合させて撚り合わせるものである。くせ付けには、例えば従来一般に使用されているくせ付け機を使用する。また、集合部には、例えば、コード構成に応じた本数の素線を集合させて素線同士相対回転できない状態で通す穴を備えた異形ダイスを使用する。
【０００７】
この撚線機は、素線をリールから繰り出して、コード撚りのためのスパイラル状のくせを付けた後、製品長さに合わせて所定長さに切断し、切断した素線をコード構成に応じた本数集合させて撚り合わせる。こうして例えばタイヤ成形時にインラインで補強材としての短尺の撚り線を製造でき、その場で並べてタイヤを成形してしまうようにできる。製造した短尺の撚り線は一旦保管した後で使用することもできる。
【０００８】
この撚線機では、コード撚りのため施した後所定長さに切断した素線を所定本数集合させて撚り合わせるので、素線繰出用のリールは撚り本数に関係なく１個でよく、短尺用として開発された従来の撚線機に比べて省スペース化が容易である。また、素線径や撚り本数等のコード構成を変える段替えに際してリールを交換する場合でも、１個のリールを交換すればよく、線通しも１本分でよい。また、集合部に異形ダイスを使用することにより、複数本の素線を集合部に投入する機構が簡単になり、集合の自動化が容易となる。また、集合部に異形ダイスを使用した場合、複数本の素線を端から端まで均一に撚り合わせることができる。また、例えば、くせ付けに従来のくせ付け装置を使用し、集合部に異形ダイスを使用する場合、必要に応じてリール１個を交換し、また、くせ付けピンと異形ダイスを交換するだけで、簡単容易に段替えを行うことができる。
【０００９】
また、この撚線機は、集合部に異形ダイスを使用する場合に、その異形ダイスの回転と引取り手段による送りにより、異形ダイスに通して集合させた複数本の素線を撚り合わせるようにすることができる。製品長さが短い場合、このように異形ダイスの回転と引取り手段による送りとによって複数本の素線を撚り合わせることが可能であり、撚り合わせ機構を簡単・小型化できる。
【００１０】
また、この撚線機は、異形ダイスに通して集合させた素線を、交叉して回転する一対のローラーあるいはベルトに挟んで撚り合わせるようにすることができる。異形ダイスを通して集合させた複数本の素線を、一対のローラーあるいはベルトに挟み、これらローラーあるいはベルトを回転させることにより、ローラー回転方向あるいはベルト走行方向に摩擦力が発生し、撚り線進行方向に直角な方向の分力が素線に対する捻り力となり、撚り線進行方向の分力が送り力（引取り力）となって、複数本の素線が捩られると同時に送られ、撚りながら送り出される。切断した複数本の素線は、このように異形ダイスに通して集合させ、交叉して回転する一対のローラーあるいはベルトに挟んで撚り合わせることが可能であり、撚り合わせ機構を簡単・小型化できる。
【発明の効果】
【００１１】
以上のとおり、本発明の撚線機は、素線繰出用のリールが撚り本数に関係なく１個でよいため、短尺の撚り線を製造する撚線機の省スペース化が容易となり、かつ、必要に応じてリール１個を交換し、その他に、例えば、くせ付けピンと異形ダイスを交換するだけで段替えでき、段替えが簡単容易となる。
【００１２】
そして、この撚線機は、集合部に異形ダイスを使用することにより、複数本の素線の集合の自動化が容易となり、また、複数本の素線を端から端まで均一に撚り合わせことができる。
【００１３】
また、この撚線機は、製品長さが短い場合に、切断した複数本の素線を集合させる異形ダイスの回転と引取り手段による送りにより複数本の素線を撚り合わせるよう構成することができ、それにより、撚り合わせ機構を簡単・小型化できる。
【００１４】
また、この撚線機は、切断した複数本の素線を異形ダイスに通して集合させ、交叉して回転する一対のローラーあるいはベルトに挟んで撚り合わせるよう構成することができ、それにより撚り合わせ機構を簡単・小型化できる。
【発明を実施するための最良の形態】
【００１５】
以下、本発明の実施形態を図面に基づいて説明する。
【００１６】
（第１実施形態）
図１〜図４は本発明の第１実施形態の撚線機を示している。図１は撚線機の全体構成を一部断面にて示す平面図（ａ）およびコンベアベルトの側面図（ｂ）、図２はくせ付け・切断部の構成を一部断面にて示す正面図（ａ）およびくせ付けした素線の平面図（ｂ）、図３は集合・撚り合わせ部の構成を一部断面にて示す平面図、図４は異形ダイスの拡大断面図（ａ）および異形ダイスの穴の形状を示す図（ｂ）である。
【００１７】
この実施形態の撚線機は、例えばタイヤ製造ラインにインライン配置されるスチールコード製造用の撚線機として使用されるもので、図１に示すように、素線である真直なスチールワイヤＷ１が巻かれている１個の繰出しリール１と、繰出しリール１から繰り出されるスチールワイヤＷ１の張力を調整するテンショナー２と、テンショナー２を経て供給されたスチールワイヤＷ１にコード撚りのためのくせ付けをするくせ付け機構３と、くせ付けされたスチールワイヤＷ２を送り出す送り機構４と、送り出されたくせ付け後のスチールワイヤＷ２を所定長さ毎に切断するカッター５と、カッター５で切断されたスチールワイヤＷ３を複数本（所定本数）ずつ受け止めて搬送し集合部へ投入する投入機構６と、複数本のスチールワイヤＷ３を集合させる集合部を構成するとともに後述の引取り手段８と協働して撚り合わせ機構を構成し、複数本のスチールワイヤＷ３を集合させて撚り合わせる回転異形ダイス７と、撚り線であるスチールコードＣを回転異形ダイス７から引き出す引取り手段８とを備えている。
【００１８】
ここで、繰出しリール１（繰出し部）は、胴部両端にフランジ部を備えたもので、従来一般に使用されているものと同様である。また、テンショナー２（張力調整部）は、図２に示すように、ターンローラー２１とダンサーローラー２２とからなるもので、従来一般に使用されているものと同様であり、くせ付け機構３（くせ付け部）は、３本のくせ付けピン３１を千鳥状に所定間隔をおいて突設し、それらのくせ付けピン３１の間に真直なスチールワイヤＷ１を通し、プーリー３２を介してモータ駆動によりパスラインを軸として回転させることにより、くせ付けピン３１によるしごき効果と、パスラインを軸とする回転効果との相乗効果で、スチールワイヤＷ１にスパイラル状のくせを付けるもので、従来一般に使用されているくせ付け機と同様である。そして、送り機構４（送り部）は、キャプスタン４１および押えローラー４２と、ダミープーリー４３とからなるもので、従来一般に使用されているものと同様であり、カッター５（切断部）は、例えば上下２枚のカッター刃を有するもので、従来一般に使用されているものと同様である。
【００１９】
そして、投入機構６（投入部）は、図１に示すように、送り機構４から送り出されカッター５で所定長さに切断されたスチールワイヤＷ３を１本ずつワイヤ先端側および後端側の２箇所で受けるようそれぞれが分割されて前後一対となった複数の線受け６１，６２と、各一対の線受け６１，６２を前後で同列になるよう支持し、各前後一対の線受け６１，６２が送り出し方向（図１の右方向）に直交する方向（図１の下方向）へ同期移動させるよう駆動される前後一対のコンベアベルト６３，６４と、線受け６１，６２上に投出されたスチールワイヤＷ３の先端位置を規制する位置調整自在な線ストッパー６５と、コンベアベルト６３，６４のベルト移動方向の側端で前後一対のコンベアベルト６３，６４の間に配置され、線受け６１，６２上に支持されて移送されてきた複数本のスチールワイヤＷ３を前方（図１に右方）へ送り、集合部を構成する回転異形ダイス７に投入する送りローラー６６とを備えたものである。
【００２０】
また、回転異形ダイス７は、図３および図４に示すように、コード構成に応じた本数（図示の例では３本）の素線（スチールワイヤＷ３）を集合させて素線同士相対回転できない状態で通す穴７１（図示の例では、素線である３本のスチールワイヤＷ３の束を相対回転できない状態で通すよう略三角に形成されている。）を有する異形ダイス７２を保持したホルダー７３を筒状の回転体７４に装着し、回転体７４をプーリー７５を介してモータ駆動で回転させることにより、異形ダイス７２の穴７１に通したスチールワイヤＷ３の束に捻りトルクを加えるよう構成されたものであり、引取り手段８は、例えば、フィードローラー８１と押えローラー８２を備え、回転異形ダイス７で捻りトルクを付与したスチールワイヤＷ３の束に送り力（引取り力）を加えるよう構成されたものである。これら回転異形ダイス７と引取り手段８は、協働して撚り合わせ機構（撚り合せ部）を構成し、複数本のスチールワイヤＷ３の束を撚りながら送り出す。引取り手段は上記構成のものに限らず適宜変更できる。
【００２１】
この撚線機は、１本のスチールワイヤＷ１が繰出しリール１から繰り出され、テンショナー２により張力が調整されてくせ付け機構３に供給され、くせ付け機構３によりコード撚りのための所定ピッチのスパイラル状のくせ付けが施され、送り機構４によって送り出される。そして、送り出されたくせ付け後のスチールワイヤＷ２が、カッター５で製品（スチールコードＣ）の長さに合わせて所定長さ毎に切断され、切断されたスチールワイヤＷ３が、所定本数（図示の例では３本）毎に投入機構６の一対の線受け６１，６２に支持され、線ストッパー６６により先端が揃えられた状態でコンベアベルト６３，６４の回転により移送され、集合部位置で送りローラー６６により回転異形ダイス７に投入される。そして、その所定本数（図示の例では３本）のスチールワイヤＷ３が集合した束となり、回転異形ダイス７の捻り力と引取り手段８の引取り力とで撚り合わされ、スチールコードＣとなって送り出される。製品長さが短い場合、このように回転異形ダイス７と引取り手段８の組み合わせによって複数本の素線を撚り合わせることが可能で、撚り合わせ機構を簡単・小型化できる。
【００２２】
こうして例えばタイヤ成形時にインラインで補強材としての短尺の撚り線であるスチールコードＣを製造し、その場で並べてタイヤを成形する。また、製造した短尺のスチールコードＣは、一旦保管した後で使用するようにしてもよい。
【００２３】
この撚線機の場合、繰出リール１は撚り本数に関係なく１個でよい。そして、段替えに際しては、素線径等が変わるためにリールを交換する場合でも、交換するリールは１個でよく、線通しも１本分でよく、他に、くせ付けピン３１と異形ダイス７２を交換するだけで、簡単容易に段替えを行うことができる。また、この撚線機は、集合部に異形ダイス７２を使用し、切断した複数本の素線（切断したスチールワイヤＷ３）を自動投入するよう構成したもので、投入機構の構成は簡単で、複数本の素線（切断したスチールワイヤＷ３）を端から端まで均一に撚り合わせることができる。
【００２４】
（第２実施形態）
図５は本発明の第２実施形態の撚線機の集合・撚り合わせ部の構成を一部断面にて示す平面図である。この実施形態は、先の第１実施形態の撚線機において、集合・撚り合わせ部を変更して図５に示す構成を採用したもので、繰出し部（繰出しリール１）、張力調整部（テンショナー２）、くせ付け・切断部（くせ付け機構３、送り機構４、カッター５）および投入部（投入機構６）の構成および作用は第１実施形態と同様である。図１に示す繰出しリール１、テンショナー２、くせ付け機構３、送り機構４、カッター５および投入機構６の構成は、第２実施形態にも共通する。また、図２に示すくせ付け・切断部の構成と、図４に示す異形ダイス７２の構成は、第２実施形態にも共通する。
【００２５】
この実施形態は、集合部に固定式の異形ダイス７２を使用し、撚り合わせ部に、交叉して回転する一対のローラー９１，９２を使用した撚り合わせ機構を採用している。この撚り合わせ機構は、一対のローラー９１，９２がそれぞれスプロケット９３，９４を介して図示しないモータにより駆動されて、図５に矢印で示すようにそれぞれ一定方向に回転するよう構成されるものであり、これら一対のローラー９１，９２は、平面視にて交叉し、上下に重なって、その交叉する部分が、コード撚りのためのくせ付けが施され所定長さに切断された複数本のスチールワイヤＷ３の束を挟んで回転することにより、ローラー回転方向に摩擦力が発生し、そのコード進行方向（図５で右方向）に直角な方向の分力がスチールワイヤＷ３の束に対する捻り力となり、コード進行方向の分力が送り力（引取り力）となるよう配置される。
【００２６】
この撚線機は、第１実施形態の場合と同様、繰出し部（繰出しリール１）から繰り出された真直なスチールコードＷ１が、張力調整部（テンショナー２）、くせ付け・切断部（くせ付け機構３、送り機構４、カッター５）を経て、くせ付けされ切断されたスチールワイヤＷ３となり、その切断されたスチールワイヤＷ３が投入部（投入機構６）によって所定本数（図示の例では３本）ずつ移送され、異形ダイス７２に投入される。そして、投入された所定本数（図示の例では３本）のスチールワイヤＷ３が異形ダイス７２の穴７１で集合し束となって、ローラー９１，９２で撚り合わされ、スチールコードＣとなって送り出される。
【００２７】
この実施形態の撚線機は、第１実施形態と同様、例えばタイヤ成形時にインラインで補強材としての短尺の撚り線であるスチールコードＣを製造し、その場で並べてタイヤを成形するようにできる。また、製造した短尺のスチールコードＣを一旦保管した後で使用することもできる。そして、やはり繰出リール１は撚り本数に関係なく１個でよく、段替えに際し、素線径等が変わるためにリールを交換する場合でも、交換するリールは１個でよく、線通しも１本分でよく、他に、くせ付けピン３１と異形ダイス７２を交換するだけで、簡単容易に段替えを行うことができる。また、集合部に異形ダイス７２を使用し、切断した複数本の素線（切断したスチールワイヤＷ３）を自動投入するよう構成したものであって、投入機構の構成が簡単であり、複数本の素線（切断したスチールワイヤＷ３）を端から端まで均一に撚り合わせることができる。
【００２８】
（第３実施形態）
図６は本発明の第３実施形態の撚線機の集合・撚り合わせ部の構成を一部断面にて示す平面図である。この実施形態は、先の第１実施形態の撚線機において、集合・撚り合わせ部を変更して図６に示す構成を採用したもので、繰出し部（繰出しリール１）、張力調整部（テンショナー２）、くせ付け・切断部（くせ付け機構３、送り機構４、カッター５）および投入部（投入機構６）の構成および作用は第１実施形態と同様である。図１に示す繰出しリール１、テンショナー２、くせ付け機構３、送り機構４、カッター５および投入機構６の構成は、第３実施形態にも共通する。また、図２に示すくせ付け・切断部の構成と、図４に示す異形ダイス７２の構成は、第３実施形態にも共通する。
【００２９】
この実施形態は、集合部に固定式の異形ダイス７２を使用し、撚り合わせ部に、交叉して回転する一対のベルト（平ベルト）１０１，１０２を使用した撚り合わせ機構を採用している。この撚り合わせ機構は、一対のベルト１０１，１０２がそれぞれスプロケット１０３，１０４を介して図示しないモータにより駆動されて、図６に矢印で示すようにそれぞれ一定方向に回転するよう構成されるものであり、これら一対のベルト１０１，１０２は、平面視にて交叉し、上下に重なって、その交叉する部分が、コード撚りのためのくせ付けが施され所定長さに切断された複数本のスチールワイヤＷ３の束を挟んで回転することにより、ローラー回転方向に摩擦力が発生し、そのコード進行方向（図６で右方向）に直角な方向の分力がスチールワイヤＷ３の束に対する捻り力となり、コード進行方向の分力が送り力（引取り力）となるよう配置される。
【００３０】
この撚線機は、第１実施形態の場合と同様、繰出し部（繰出しリール１）から繰り出された真直なスチールコードＷ１が、張力調整部（テンショナー２）、くせ付け・切断部（くせ付け機構３、送り機構４、カッター５）を経て、くせ付けされ切断されたスチールワイヤＷ３となり、その切断されたスチールワイヤＷ３が投入部（投入機構６）によって所定本数（図示の例では３本）ずつ移送され、異形ダイス７２に投入される。そして、投入された所定本数（図示の例では３本）のスチールワイヤＷ３が異形ダイス７２の穴７１で集合し束となって、ベルト１０１，１０２で撚り合わされ、スチールコードＣとなって送り出される。
【００３１】
この実施形態の撚線機は、第１実施形態と同様、例えばタイヤ成形時にインラインで補強材としての短尺の撚り線であるスチールコードＣを製造し、その場で並べてタイヤを成形するようにできる。また、製造した短尺のスチールコードＣを一旦保管した後で使用することもできる。そして、やはり繰出リール１は撚り本数に関係なく１個でよく、段替えに際し、素線径等が変わるためにリールを交換する場合でも、交換するリールは１個でよく、線通しも１本分でよく、他に、くせ付けピン３１と異形ダイス７２を交換するだけで、簡単容易に段替えを行うことができる。また、集合部に異形ダイス７２を使用し、切断した複数本の素線（切断したスチールワイヤＷ３）を自動投入するよう構成したものであって、投入機構の構成が簡単であり、複数本の素線（切断したスチールワイヤＷ３）を端から端まで均一に撚り合わせることができる。
【００３２】
（第４実施形態）
図７は本発明の第３実施形態の撚線機の撚り合わせ部の構成を一部断面にて示す平面図である。この実施形態は、先の第１実施形態の撚線機において、集合・撚り合わせ部を変更して図５に示す構成を採用したもので、繰出し部（繰出しリール１）、張力調整部（テンショナー２）、くせ付け・切断部（くせ付け機構３、送り機構４、カッター５）および投入部（投入機構６）の構成および作用は第１実施形態と同様である。図１に示す繰出しリール１、テンショナー２、くせ付け機構３、送り機構４、カッター５および投入機構６の構成は、第４実施形態にも共通する。また、図２に示すくせ付け・切断部の構成は、第４実施形態にも共通する。
【００３３】
この実施形態は、集合部に、素線本数と同数の穴１１１（丸穴）を有する目板１１２と、ホルダー１１３に保持した集合ダイス１１４（丸穴）を使用し、撚り合わせ部に、交叉して回転する一対のローラー９１，９２を使用した撚り合わせ機構を採用している。この撚り合わせ機構は、一対のローラー９１，９２がそれぞれスプロケット９３，９４を介して図示しないモータにより駆動されて、図７に矢印で示すようにそれぞれ一定方向に回転するよう構成されるものであり、これら一対のローラー９１，９２は、平面視にて交叉し、上下に重なって、その交叉する部分が、コード撚りのためのくせ付けが施され所定長さに切断された複数本のスチールワイヤＷ３の束を挟んで回転することにより、ローラー回転方向に摩擦力が発生し、そのコード進行方向（図７で右方向）に直角な方向の分力がスチールワイヤＷ３の束に対する捻り力となり、コード進行方向の分力が送り力（引取り力）となるよう配置される。
【００３４】
この撚線機は、第１実施形態の場合と同様、繰出し部（繰出しリール１）から繰り出された真直なスチールコードＷ１が、張力調整部（テンショナー２）、くせ付け・切断部（くせ付け機構３、送り機構４、カッター５）を経て、くせ付けされ切断されたスチールワイヤＷ３となり、その切断されたスチールワイヤＷ３が投入部（投入機構６）によって所定本数（図示の例では３本）ずつ移送され、目板１１２の穴１１１を通して集合ダイス１１３に投入される。そして、投入された所定本数（図示の例では３本）のスチールワイヤＷ３が集合ダイス１１３の穴で集合し束となって、ローラー９１，９２で撚り合わされ、スチールコードＣとなって送り出される。撚り合わせ機構には、ローラー９１，９２に代えて、上記第３実施形態と同様の交叉して回転する一対のベルトを使用することもできる。
【００３５】
この実施形態の撚線機は、第１実施形態と同様、例えばタイヤ成形時にインラインで補強材としての短尺の撚り線であるスチールコードＣを製造し、その場で並べてタイヤを成形するようにできる。また、製造した短尺のスチールコードＣを一旦保管した後で使用することもできる。そして、やはり繰出リール１は撚り本数に関係なく１個でよく、段替えに際し、素線径等が変わるためにリールを交換する場合でも、交換するリールは１個でよく、線通しも１本分でよく、他に、くせ付けピン３１と目板１２を交換するだけで、簡単容易に段替えを行うことができる。また、投入機構の構成が簡単である。
【００３６】
また、本発明は、他に、例えば上記第１実施形態の集合・撚り合わせ部の機構を、回転異形ダイスと、回転異形ダイスによって捻りトルクが加えられた複数本のスチールワイヤＷ３の束を上記第２実施形態の一対のローラー９１，９２あるいは上記第３実施形態の一対のベルト１０１，１０２によって撚りながら送り出すようにする実施形態も可能である。
【００３７】
なお、上記各実施形態の撚線機において、くせ付け機構、投入機構等の構成は、図示の例以外に適宜変更することができる。また、これらの実施形態では、３本のスチールコードを撚り合わせて短尺のスチールコードを製造する場合について説明したが、この撚線機は、複数本の素線を撚って短尺の撚り線を製造する撚線機一般、つまりタイヤ補強用のスチールコードに限らないゴム製品用その他の撚り線製造のための撚線機一般に適用することができる。
【図面の簡単な説明】
【００３８】
【図１】本発明の第１実施形態の撚線機の全体構成を一部断面にて示す平面図（ａ）およびコンベアベルトの側面図（ｂ）である。
【図２】本発明の第１実施形態の撚線機のくせ付け・切断部の構成を一部断面にて示す正面図（ａ）およびくせ付けした素線の平面図（ｂ）である。
【図３】本発明の第１実施形態の撚線機の集合・撚り合わせ部の構成を一部断面にて示す平面図である。
【図４】本発明の第１実施形態の撚線機の異形ダイスの拡大断面図（ａ）および異形ダイスの穴の形状を示す図（ｂ）である。
【図５】本発明の第２実施形態の撚線機の集合・撚り合わせ部の構成を一部断面にて示す平面図である。
【図６】本発明の第３実施形態の撚線機の集合・撚り合わせ部の構成を一部断面にて示す平面図である。
【図７】本発明の第４実施形態の撚線機の集合・撚り合せ部の構成を一部断面にて示す平面図である。
【符号の説明】
【００３９】
１  繰出しリール
２  テンショナー
３  くせ付け機構
４  送り機構
５  カッター
６  投入機構
７  回転異形ダイス
８  引取り機構
２１  送りローラー
２２  ダンサーローラー
３１  くせ付けピン
３２  プーリー
４１  キャプスタン
４２  押えローラー
４３  ダミープーリー
６１、６２  線受け
６３、６４  コンベアベルト
６５  線ストッパー
６６  送りローラー
７１  異形ダイスの穴
７２  異形ダイス
７３  ホルダー
７４  回転体
７５  プーリー
８１  フィードローラー
８２  押えローラー
９１、９２  ローラー
９３、９４  スプロケット
１０１、１０２  ベルト
１０３、１０４  スプロケット
１１１  目板の穴
１１２  目板
１１３  ホルダー
１１４  集合ダイス
Ｃ  スチールコード
Ｗ１  真直なスチールワイヤ
Ｗ２  くせ付けされたスチールワイヤ
Ｗ３  所定長さに切断されたスチールワイヤ
【図１】
0004729415.tif 000002
【図２】
0004729415.tif 000003
【図３】
0004729415.tif 000004
【図４】
0004729415.tif 000005
【図５】
0004729415.tif 000006
【図６】
0004729415.tif 000007
【図７】
0004729415.tif 000008